(57)【特許請求の範囲】
【請求項１】
映像信号を生成する撮像手段と、撮像装置の記録開始操作および停止操作に連動したＡｕｔｏＲＥＣ信号を生成するＡｕｔｏＲＥＣ信号生成手段と、前記ＡｕｔｏＲＥＣ信号を前記映像信号に多重するＡｕｔｏＲＥＣ信号多重手段とを備えた撮像装置と、
前記映像信号に多重されたＡｕｔｏＲＥＣ信号を検出するＡｕｔｏＲＥＣ信号検出手段と、前記検出されたＡｕｔｏＲＥＣ信号に連動して録画開始および停止を行うことで前記映像信号をカット毎に別々の映像ファイルとして記録する映像記録手段とを備えた録画装置と、
からなる録画システム。
【請求項２】
映像信号を生成する撮像手段と、撮像装置の記録開始操作および停止操作に連動したＡｕｔｏＲＥＣ信号を生成するＡｕｔｏＲＥＣ信号生成手段と、前記ＡｕｔｏＲＥＣ信号を前記映像信号に多重するＡｕｔｏＲＥＣ信号多重手段とを備え、
前記ＡｕｔｏＲＥＣ信号生成手段は、カメラによる記録開始時はスタートマーク、記録中はレコーディングマークの少なくとも２つの状態を表すコードをフレーム毎に生成して前記ＡｕｔｏＲＥＣ信号とすることを特徴とする撮像装置。
【請求項３】
ＡｕｔｏＲＥＣ信号が多重された映像信号を入力する手段と、前記入力された映像信号から前記ＡｕｔｏＲＥＣ信号を検出するＡｕｔｏＲＥＣ信号検出手段と、前記検出されたＡｕｔｏＲＥＣ信号に連動して録画開始および停止を行うことで前記映像信号をカット毎に別々の映像ファイルとして記録する映像記録手段とを備えた録画装置。
【請求項４】
前記ＡｕｔｏＲＥＣ信号生成手段は、カメラによる記録開始時はスタートマーク、記録中はレコーディングマーク、記録停止時はストップマークの少なくとも３つの状態を表すコードをフレーム毎に生成して前記ＡｕｔｏＲＥＣ信号とすることを特徴とする請求項２記載の撮像装置。
【請求項５】
前記スタートマークは、カメラの記録開始フレームから少なくともＮフレームの期間（Ｎ≧１）継続することを特徴とする請求項２または４記載の撮像装置。
【請求項６】
前記ストップマークは、カメラの記録終了フレームから少なくともＭフレームの期間（Ｍ≧１）継続することを特徴とする請求項４記載の撮像装置。
【請求項７】
前記ＡｕｔｏＲＥＣ多重手段は、前記ＡｕｔｏＲＥＣ信号を前記映像信号のＬＴＣユーザーズビットに多重することを特徴とする請求項２、４、５、６のいずれかに記載の撮像装置。
【請求項８】
前記ＡｕｔｏＲＥＣ多重手段は、前記ＡｕｔｏＲＥＣ信号を前記映像信号のＶＩＴＣユーザーズビットに多重することを特徴とする請求項２、４、５、６のいずれかに記載の撮像装置。
【請求項９】
ＡｕｔｏＲＥＣ信号が多重された映像信号を入力とし、少なくともｎフレーム期間（ｎ≧１）継続する前記ＡｕｔｏＲＥＣ信号に含まれるスタートマークを検出した場合に記録を開始し、少なくともｍフレーム期間（ｍ≧１）継続する前記ＡｕｔｏＲＥＣ信号に含まれるストップマークを検出した場合に記録を停止するＡｕｔｏＲＥＣ信号検出手段と、前記検出されたＡｕｔｏＲＥＣ信号に連動して録画開始および停止を行うことで前記映像信号をカット毎に別々の映像ファイルとして記録する映像記録手段とを備えた録画装置。
【請求項１０】
前記ＡｕｔｏＲＥＣ信号検出手段において、前記ストップマークを検出することなく連続して前記スタートマークを検出した場合、一旦記録を停止してから記録を開始することを特徴とする請求項９記載の録画装置。
【請求項１１】
前記ＡｕｔｏＲＥＣ信号はフレーム毎に値が変化するコードを用いたレコーディングマークを含み、前記ＡｕｔｏＲＥＣ信号検出手段において前記レコーディングマークのフレーム毎の変化が停止した場合に、前記映像記録手段は記録を停止することを特徴とする請求項９記載の録画装置。
【請求項１２】
前記映像記録手段は、前記ＡｕｔｏＲＥＣ信号とともに前記映像信号を記録することを特徴とする請求項３記載の録画装置。
【請求項１３】
複数の映像ファイルを途切れなく連続して再生して再生映像信号を出力する再生装置において、個々の映像ファイルの先頭からＮフレーム期間（Ｎ≧１）にはスタートマークを、個々の映像ファイルの末尾からＭフレーム期間（Ｍ≧１）にはストップマークを、それ以外の期間にはレコーディングマークを、ＡｕｔｏＲＥＣ信号として前記再生映像信号に多重して出力することを特徴とする再生装置。
【発明の詳細な説明】
【０００１】
【発明の属する技術分野】
本発明は、複数のカットが時系列で連続する映像信号を自動的にカット毎の映像ファイルとして別々に記録・再生することができる録画システム、撮像装置、録画装置および再生装置に関するものである。
【０００２】
【従来の技術】
ビデオカメラを用いてＶＴＲに映像を記録する場合、ビデオカメラの記録開始操作および停止操作にしたがってテープ上には複数のカットが時系列で連続に記録される。しかしながら、このようにして収録された映像素材から所望のカットを探し出し、順序立てて並び替える編集作業の現場では、従来のＶＴＲとスイッチャを使ったリニア編集に代わってコンピュータベースのノンリニア編集へと急速にワークフローが変貌してきている。ノンリニア編集を行う場合、テープ上の映像素材は一旦映像ファイルとしてコンピュータ上に取り込まれ、編集ソフトウエアによって映像ファイルを並べ替えることで編集作業を行う。この際、テープ上には複数のカットが時系列で連続して並んでいるため、単純に映像信号をコンピュータに取り込むと複数のカットが１つの映像ファイルとして取り込まれてしまう。したがって編集作業は１つの映像ファイルをカット毎に区切って別々の映像ファイルに分割することから開始する必要があり、作業の効率を大幅に低下させてる。このような状況を打開するべく、特開平０５−２９０５４９号公報では複数のカットを含む映像ファイルからシーンの変わり目を自動検出してカット毎の映像ファイルへ自動分割する手法や、特開平０９−４６６４８号公報のように映像信号のタイムコード値が不連続になる点を自動検出して映像ファイルを別々に記録していく手法などが提案されている。
【０００３】
【発明が解決しようとする課題】
しかしながら、特開平０５−２９０５４９号公報のように一旦取り込んだ映像ファイルからシーンの変わり目を自動検出する手法では、自動分割する処理に時間を要するばかりでなく、動きが極端に少ないシーンの変わり目を検出することが上手くできないためにカット分割を誤る場合がある。また特開平０９−４６６４８号公報のように入力映像信号のタイムコード値が不連続になる点を自動検出する手法では、撮影時にビデオカメラのタイムコードジェネレータがＲＥＣＲＵＮである場合にタイムコードが連続でも異なるカットとなるために、タイムコード値の不連続を検出することができず、実用上多くの課題を抱えている。コンピュータ技術の急速な進展にともなって主流となりつつあるノンリニア編集に対応し、自動的にカット毎の映像ファイルが生成できるシステムの開発が強く求められている。
【０００４】
【課題を解決するための手段】
この課題を解決するため、本発明では第１に、映像信号を生成する撮像手段と、撮像装置の記録開始操作および停止操作に連動したＡｕｔｏＲＥＣ信号を生成するＡｕｔｏＲＥＣ信号生成手段と、ＡｕｔｏＲＥＣ信号を映像信号に多重するＡｕｔｏＲＥＣ信号多重手段とを撮像装置に備え、映像信号に多重されたＡｕｔｏＲＥＣ信号を検出するＡｕｔｏＲＥＣ信号検出手段と、検出されたＡｕｔｏＲＥＣ信号に連動して録画開始および停止を行うことでカット毎に別々の映像ファイルとして記録する映像記録手段とを録画装置に備えた録画システムとすることにより、映像素材を収録する段階で映像素材そのものにカットの始点および終点の情報を多重しておくことで、確実にカットの変わり目を検出して別々の映像ファイルとして記録することが可能となる。
【０００５】
第２に、撮像装置と録画装置が直接伝送路によって接続されている場合ではなく、一旦テープなどに記録された映像素材であっても、テープの再生映像を確実に自動カット分割するために、前記ＡｕｔｏＲＥＣ信号生成手段は、カメラによる記録開始時はスタートマーク、記録中はレコーディングマーク、記録停止時はストップマークの少なくとも３つの状態を表すコードをフレーム毎に生成してＡｕｔｏＲＥＣ信号とすることを特徴としている。レコーディングマークによってカットの始点・終点だけでなく有効なカットの内部であることを検出することができる。
【０００６】
第３に、前記スタートマークは、カメラの記録開始フレームから少なくともＮフレームの期間（Ｎ≧１）継続すること、前記ストップマークは、カメラの記録終了フレームから少なくともＭフレームの期間（Ｍ≧１）継続することを特徴とすることで、スタートマーク、ストップマークを複数のフレームに多重し編集作業などでカットの先頭や末尾のフレームが欠落した場合でもＡｕｔｏＲＥＣ信号が欠落することがないようにできる。
【０００７】
第４に、前記ＡｕｔｏＲＥＣ信号を映像信号に多重する際、映像信号のＬＴＣユーザーズビットあるいは、映像信号のＶＩＴＣユーザーズビットに多重することによって、特殊な録画装置を用いなくてもＡｕｔｏＲＥＣ信号を映像信号に多重した状態のまま多くの録画装置・再生装置で記録・再生することが可能になる。
【０００８】
第５に、前記ＡｕｔｏＲＥＣ信号検出手段において、ストップマークを検出することなく連続してスタートマークを検出した場合、一旦記録を停止してから記録を開始することで仮にストップマークが欠落した映像信号についてもスタートマークだけで自動カット分割が可能になる。
【０００９】
第６に、前記レコーディングマークはフレーム毎に値が変化するコードを用いることで、一旦テープなどに記録された映像素材であって、テープの再生映像を自動カット分割記録している最中にテープの再生が停止した場合、ストップマークが永久に検出できずに自動記録が停止できない条件においてもレコーディングマークの変化が停止することで記録を自動停止することが可能になる。
【００１０】
第７に、前記映像記録手段は、映像信号と映像信号に多重されたＡｕｔｏＲＥＣ信号の両方を同時に記録することで、記録した映像信号を再生する際に映像信号に多重されたＡｕｔｏＲＥＣ信号も同時に再生され、再び自動カット分割記録が可能な信号として再生することができる。
【００１１】
第８に、複数の映像ファイルを途切れなく連続して再生する再生装置において、個々の映像ファイルの先頭からＮフレーム期間（Ｎ≧１）にはスタートマークを、個々の映像ファイルの末尾からＭフレーム期間（Ｍ≧１）にはストップマークを、それ以外の期間にはレコーディングマークを、ＡｕｔｏＲＥＣ信号として再生映像信号に多重して出力することで、映像ファイルを並べ替えて編集した後の映像信号に対してもカット毎のＡｕｔｏＲＥＣ信号を多重することができ、再び自動カット分割記録が可能な信号として再生することができる。
【００１２】
第９に、複数の映像ファイルを途切れなく連続して再生する再生装置において、個々の映像ファイルの直前に所定のプリロール映像ファイルを挿入して連続再生することで、複数連続する各カットの前にはプリロール映像が挿入された形で再生される。プリロール映像を挿入することで各カットの前に連続した無効映像を付けることができ、カットの先頭を視覚的に見つけやすくできるとともに、再生装置の出力映像をＶＴＲを用いたリニア編集システムに入力した場合でもＶＴＲの機械的立ち上がり時間を考慮したプリロール時間を確保することができる。
【００１３】
第１０に、前記プリロール映像ファイル以外の映像ファイルに対してのみ前記ＡｕｔｏＲＥＣ信号を多重することで、プリロール映像にはＡｕｔｏＲＥＣ信号を付けず、有効なカットのみにＡｕｔｏＲＥＣ信号を多重することで、プリロール映像を挿入した再生出力を再び自動カット分割記録した際には有効なカットのみが記録されるようにできる。
【００１４】
【発明の実施の形態】
以下、本発明の実施の形態について説明する。
【００１５】
（実施の形態１）
まず図１を用いて本発明の第１の実施形態に係る撮像装置および録画装置からなる録画システム説明する。図１において、１１は映像信号を生成する撮像手段、１２は撮像装置の記録開始操作および停止操作に連動したＡｕｔｏＲＥＣ信号を生成するＡｕｔｏＲＥＣ信号生成手段、１３はＡｕｔｏＲＥＣ信号を映像信号に多重するＡｕｔｏＲＥＣ信号多重手段、１４は映像信号に多重されたＡｕｔｏＲＥＣ信号を検出するＡｕｔｏＲＥＣ信号検出手段、１５は検出されたＡｕｔｏＲＥＣ信号に連動して録画開始および停止を行うことでカット毎に別々の映像ファイルとして記録する映像記録手段である。
【００１６】
撮像手段１１で撮影された映像信号に、ＡｕｔｏＲＥＣ信号生成手段１２とＡｕｔｏＲＥＣ信号多重手段１３によって撮影者の記録開始操作および停止操作に連動して生成されたＡｕｔｏＲＥＣ信号を多重して本発明に係る撮像装置の出力信号とする。これによって映像信号自身にカットの始点および終点の情報が多重され、自動カット分割記録が可能な信号となる。次にＡｕｔｏＲＥＣ信号が多重された映像信号は録画装置へ入力される。録画装置ではＡｕｔｏＲＥＣ信号検出手段１４によって映像信号に多重されたＡｕｔｏＲＥＣ信号を分離し、撮像装置の記録開始操作および停止操作に連動して生成されたカットの始点および終点の情報を検出して、カットの始点で記録を開始し、カットの終点で記録を停止するように映像記録手段１５を制御するように動作する。これにより、複数のカットが時系列で連続する映像信号を自動的にカット毎の映像ファイルとして別々に記録・再生することができる。
【００１７】
更に詳細な動作について説明する。
【００１８】
図２はストップマークがある場合の典型的なＡｕｔｏＲＥＣ信号について模式的に示している。２１〜２３は時系列に連続する３つのカット１〜３を含む映像信号、２４はＡｕｔｏＲＥＣ信号のスタートマーク、２５はＡｕｔｏＲＥＣ信号のレコーディングマーク、２６はＡｕｔｏＲＥＣ信号のストップマークを示している。通常ビデオテープや伝送路などで記録・伝送される映像信号は複数のカットが時系列に並んでいる。このような映像信号を本発明の撮像装置が生成する場合、各カット１〜３の始点および終点では撮影者が記録の開始操作および停止操作を行っている。ＡｕｔｏＲＥＣ信号生成手段１２は記録の開始操作によって各カット１〜３の先頭Ｎフレームにはスタートマーク２４を、記録中はレコーディングマーク２５を、停止操作によって各カット１〜３の末尾Ｍフレームにはストップマーク２６を生成する。スタートマーク２４およびストップマーク２６を複数のフレームに多重することによってダビングや編集過程などで各カットの先頭および末尾の数フレームが欠落してもＡｕｔｏＲＥＣ信号としての機能を失わないこと、レコーディングマーク２５を記録中のフレームに多重することで記録の最中であるフレームの識別が可能になることが重要である。
【００１９】
（実施の形態２）
次に図３を用いて本発明の第２の実施の形態に係る録画装置を説明する。図３はＡｕｔｏＲＥＣ信号が多重された映像信号を再生する再生装置を入力とした場合の自動カット分割記録を実現する録画装置の構成を示している。３１は再生装置、３２はＡｕｔｏＲＥＣ信号検出手段、３３は映像記録手段である。ＡｕｔｏＲＥＣ信号を映像信号に多重して同時に記録、再生することができる場合、再生装置からの再生映像信号にもＡｕｔｏＲＥＣ信号が多重された状態で出力される。本実施形態の録画装置はＡｕｔｏＲＥＣ信号検出手段３２においてカットの始点および終点をＡｕｔｏＲＥＣ信号のスタートマーク、レコーディングマーク、ストップマークから検出することが可能であり、カットの始点で記録を開始し、カットの終点で記録を停止するように映像記録手段３３を制御するように動作することで複数のカットが時系列で連続する再生映像信号を自動的にカット毎の映像ファイルとして別々に記録することができる。
【００２０】
（実施の形態４）
次に図４を用いて本発明の第４の実施の形態を説明する。図４はストップマークが無い場合の典型的なＡｕｔｏＲＥＣ信号について模式的に示している。４１〜４３は時系列に連続する３つのカット１〜３を含む映像信号、４４、４６はＡｕｔｏＲＥＣ信号のスタートマーク、４５はＡｕｔｏＲＥＣ信号のレコーディングマークである。通常は実施の形態２で説明した通り、スタートマーク、レコーディングマーク、ストップマークがカット毎に多重されることが基本となるが、たとえば、ビデオテープを部分的に上書きして映像を収録した場合、前後の区間には先に記録していたＡｕｔｏＲＥＣ信号が残っていることが考えられ、ストップマークが上書きして消されてしまうことが考えられる。ストップマークが検出できない場合、映像記録手段１５は永久に記録動作を停止することができず、カット毎に別々の映像ファイルとして記録を行うことが不可能になってしまう。そこで本発明ではストップマークを検出する前に次のスタートマークが検出された場合には一旦記録を停止し、その後すぐに別のカットとして映像ファイルの記録を開始するように映像記録手段１５を制御することを特徴としている。
【００２１】
（実施の形態５）
次に図５を用いて本発明の第５の実施の形態を説明する。図５はＡｕｔｏＲＥＣ信号を２ビットで表現した場合の例を示している。５１〜５３は時系列に連続する３つのカット１〜３を含む映像信号、５４はＡｕｔｏＲＥＣ信号のスタートマークを２ビットのコード「１１」で表現したもの、５５はＡｕｔｏＲＥＣ信号のレコーディングマークを２ビットの「１０」および「０１」の交互に反転するコードで表現したもの、５６はＡｕｔｏＲＥＣ信号のストップマークを２ビットのコード「００」で表現したものである。レコーディングマーク５５をフレーム毎に変化するコードで表現して映像信号に多重することにより、ＡｕｔｏＲＥＣ信号が多重された映像信号を記録したテープ等の再生信号を自動カット分割記録している場合については、テープ再生を停止すると同時にレコーディングマークの変化が停止することでテープ再生の停止を検出することが可能になるため、自動カット分割記録を自動停止することが可能になる。なお、ここではＡｕｔｏＲＥＣ信号として２ビットで表現する例を説明したが、ＡｕｔｏＲＥＣ信号の語調は２ビットに限定するものではなく、スタートマーク、レコーディングマーク、ストップマークを適切に表現できるものであれば他のコードであっても実現可能である。
【００２２】
（実施の形態６）
次に図６を用いて本発明の第６の実施の形態を説明する。図６はプリロール映像を挿入しない場合と挿入した場合の再生映像信号を模式的に示している。６１〜６３は時系列に連続する３つのカット１〜３を含む映像信号、６４はプリロール映像である。プリロール映像を挿入しない場合の再生映像信号は３つのカット６１〜６３が途切れなく連続に再生される。これに対してプリロール映像を挿入する場合には各カット６１〜６３の直前に所定のプリロール映像６４が挿入された状態で途切れなく連続に再生される。プリロール映像としてはあらかじめ準備しておいたブラックバースト信号（全画面黒）やカラーバー信号、カウントダウン信号など通常のカメラ撮影のカットと区別がつく映像であれば何でもよい。本発明請求項１２のように各カットの直前にプリロール映像を挿入して再生することで、各カットの再生が開始される前にプリロール映像の時間だけ助走区間を設けることができ、ＶＴＲを使ったリニア編集時にテープの巻き戻しや調相などが有効に機能する余裕を与えることができ、正確な編集作業が可能になる。
【００２３】
（実施の形態７）
最後に図７を用いて本発明の第７の実施の形態を説明する。図７はプリロール画像が無い場合とある場合のＡｕｔｏＲＥＣ信号について模式的に示したものである。７１〜７３は時系列に連続する３つのカット１〜３を含む映像信号、７４は挿入されたプリロール映像、７５はＡｕｔｏＲＥＣ信号のスタートマーク、７６はＡｕｔｏＲＥＣ信号のレコーディングマーク、７７はＡｕｔｏＲＥＣ信号のストップマークを示している。プリロール映像を挿入しない場合の再生映像信号は３つのカット７１〜７３が途切れなく連続に再生され、各カット単位に再生開始フレームから後ろＮフレーム期間（Ｎ≧１）にはスタートマーク７５、再生中のフレームにはレコーディングマーク７６、再生終了フレームより前のＭフレーム期間（Ｍ≧１）にはストップマーク７７が多重されて出力される。一方、プリロール映像を挿入して再生する場合には各カット７１〜７３の直前に所定のプリロール映像７４が挿入された状態で途切れなく連続に再生され、プリロール映像以外の有効なカット１〜３に対してのみ各カット単位に再生開始フレームから後ろＮフレーム期間（Ｎ≧１）にはスタートマーク７５、再生中のフレームにはレコーディングマーク７６、再生終了フレームより前のＭフレーム期間（Ｍ≧１）にはストップマーク７７が多重されて出力される。これによってプリロール映像を挿入した再生映像信号を再び自動カット分割記録する際にはプリロール映像を飛ばして、有効なカット１〜３のみを自動的に別々の映像ファイルに記録することが可能になる。
【００２４】
【発明の効果】
以上のように本発明の撮像装置、録画装置および再生装置を用いることで、（１）複数のカットが時系列で連続する映像信号を自動的にカット毎の映像ファイルとして別々に記録・再生することができる、（２）ＡｕｔｏＲＥＣ信号を映像信号に多重して同時に記録・再生するために映像信号そのものがカットの始点および終点の情報を保持するようになる、（３）ＡｕｔｏＲＥＣ信号が多重された映像信号を記録したテープ等の再生信号を自動カット分割記録している場合については、テープ再生を停止すると同時に記録を自動停止することが可能になる、（４）プリロール映像を挿入して再生することにより各カットの前にＶＴＲの助走区間を設けることができ、正確なリニア編集を行うことが可能になる、（５）プリロール映像を挿入した場合においてもＡｕｔｏＲＥＣ信号は有効なカットの始点および終点のみに多重されるため、プリロール映像を挿入した再生映像を入力にして再度自動カット分割記録を行う場合には有効なカットのみが記録される、など映像編集作業の効率化にとって実用上の効果は大きい。
【図面の簡単な説明】
【図１】本発明の実施の形態１によるブロック図
【図２】本発明の実施の形態２のストップマークがある場合の映像信号とＡｕｔｏＲＥＣ信号を示す図
【図３】本発明の実施の形態３のストップマークが無い場合の映像信号とＡｕｔｏＲＥＣ信号を示す図
【図４】本発明の実施の形態４の２ビットで表現するＡｕｔｏＲＥＣ信号の例を示す図
【図５】本発明の実施の形態５によるブロック図
【図６】本発明の実施の形態６のプリロール画像挿入の例を示す図
【図７】本発明の実施の形態７のプリロール画像を挿入した場合のＡｕｔｏＲＥＣ信号を示す図
【符号の説明】
１１  撮像手段
１２  ＡｕｔｏＲＥＣ信号生成手段
１３  ＡｕｔｏＲＥＣ信号多重手段
１４  ＡｕｔｏＲＥＣ信号検出手段
１５  映像記録手段
【図１】
0004158402.tif 000002
【図２】
0004158402.tif 000003
【図３】
0004158402.tif 000004
【図４】
0004158402.tif 000005
【図５】
0004158402.tif 000006
【図６】
0004158402.tif 000007
【図７】
0004158402.tif 000008